(57)【要約】【課題】情報記録媒体へのデータの記録及び再生を常に確実に行えるようにして、信頼性を高める。【解決手段】情報記録媒体である光ディスク１が挿着されたとき、ＣＰＵコントローラ１１を中心とする制御部によって、その光ディスク１が欠陥検出（ベリファイ）済みか否かによって欠陥検出の要否を判定し、ベリファイ済みでなければ光ディスク１の全面をフォーマットした後ベリファイする。ベリファイ済みであれば、それが自社機の当該情報記録再生装置（自ドライブ）でなされた否かを判定し、自ドライブ以外でなされた場合には、再度欠陥検出が必要と判断して、光ディスク１の全面を自動的にベリファイする。【選択図】        図１
2004288331.tif 000002
【特許請求の範囲】
【請求項１】
ユーザからのアクセスが可能なユーザデータ領域と、該ユーザデータ領域内の欠陥を交替するための交替領域とを有する情報記録媒体に記録を行う情報記録手段と、
前記ユーザデータ領域内の欠陥検出の要否を判定する第１の判定手段と、
該第１の判定手段で欠陥検出が必要と判定された場合に前記ユーザデタ領域内の欠陥の検出を行う第１の欠陥検出手段とを有する情報記録再生装置であって、前記第１の判定手段で欠陥検出が不要と判定された前記ユーザデータ領域に対して再度欠陥検出の要否を判定する第２の判定手段と、
該第２の判定手段で欠陥検出が必要と判定された場合に再度前記ユーザデータ領域内の欠陥の検出を行う第２の欠陥検出手段とを設けたことを特徴とする情報記録再生装置。
【請求項２】
請求項１記載の情報記録再生装置において、
前記第１の判定手段は、前記ユーザデータ領域がベリファイ済みであるか否かの判定によって欠陥検出の要否を判定する手段であり、
前記第１の欠陥検出手段と前記第２の欠陥検出手段は、いずれも前記ユーザデータ領域内をベリファイする手段であることを特徴とする情報記録再生装置。
【請求項３】
請求項２に記載の情報記録再生装置において、
前記第１の判定手段は、マウントレニア規格に準拠したフォーマットがなされた情報記録媒体のメインテーブルエリア内にあるメインインフォメーションパケット（ＭＩＰ）と、セカンダリテーブルエリア内にあるセカンダリインフォメーションパケット（ＳＩＰ）の少なくとも一方に存在するラストベリファイドアドレス（ＬＶＡ）の値よって、ベリファイ済みであるか否かを判定する手段であることを特徴とする情報記録再生装置。
【請求項４】
請求項１乃至３のいずれか一項に記載の情報記録再生装置において、
前記第２の判定手段は、挿入された情報記録媒体における前記ユーザデータ領域内の欠陥の検出が自社製の情報記録再生装置である自社機で行われたか、他社製の情報記録再生装置である他社機で行われたかを判定する自他社機判定手段であることを特徴とする情報記録再生装置。
【請求項５】
請求項４記載の情報記録再生装置において、
前記自他社機判定手段は、ＤＶＤ＋ＭＲＷ規格に準拠したフォーマットがなされた情報記録媒体のフォーマット  オブ  フォーマッティングディスク  コントロール  ブロック（ＦＤＣＢ）に記述されているドライブＩＤによって前記判定をする手段であることを特徴とする情報記録再生装置。
【請求項６】
請求項４記載の情報記録再生装置において、
前記自他社機判定手段は、ＣＤ−ＭＲＷ規格に準拠したフォーマットがなされた情報記録媒体に記録されているレコーダＩＤコードによって前記判定をする手段であることを特徴とする情報記録再生装置。
【請求項７】
請求項１乃至３のいずれか一項に記載の情報記録再生装置において、
前記第２の判定手段は、挿入された情報記録媒体における前記ユーザデータ領域内の欠陥の検出が、当該情報記録再生装置である自機で行われたか、他の情報記録再生装置である他機で行われたかを判定する自他機判定手段であることを特徴とする情報記録再生装置。
【請求項８】
請求項７記載の情報記録再生装置において、
前記自他機判定手段は、ＤＶＤ＋ＭＲＷ規格に準拠したフォーマットがなされた情報記録媒体のフォーマット  オブ  フォーマッティングディスク  コントロール  ブロック（ＦＤＣＢ）に記述されているドライブＩＤによって前記判定をする手段であることを特徴とする情報記録再生装置。
【請求項９】
請求項７記載の情報記録再生装置において、
前記自他機判定手段は、ＣＤ−ＭＲＷ規格に準拠したフォーマットがなされた情報記録媒体に記録されているレコーダＩＤコードによって前記判定をする手段であることを特徴とする情報記録再生装置。
【請求項１０】
請求項１乃至９のいずれか一項に記載の情報記録再生装置において、
前記第２の欠陥検出手段は、前記ユーザデータ領域内の欠陥の検出をユーザから要求されたデータ記録後にその記録領域に対して行う手段であることを特徴とする情報記録再生装置。
【請求項１１】
請求項１乃至９のいずれか一項に記載の情報記録再生装置において、
前記第２の欠陥検出手段は、前記ユーザデータ領域内の欠陥の検出を自動的に行う手段であることを特徴とする情報記録再生装置。
【請求項１２】
請求項１記載の情報記録再生装置において、
前記第２の欠陥検出手段は、前記情報記録媒体全面の欠陥の検出を行う手段であることを特徴とする情報記録再生装置。
【請求項１３】
請求項１２記載の情報記録再生装置において、
前記第２の欠陥検出手段は、ユーザからのアクセスがない場合に前記情報記録媒体全面の欠陥の検出をバックグランドで行う手段であることを特徴とする情報記録再生装置。
【請求項１４】
請求項３，５，６，８，９のいずれか一項に記載の情報記録再生装置において、
前記第２の欠陥検出手段が前記ユーザデータ領域の欠陥検出を行う際に、前記情報記録媒体がＤＶＤ＋ＭＲＷ規格に準拠したフォーマットがなされたディスクであれば、該ディスクに記録されているラスト  ベリファイド  アドレス（ＬＶＡ）とフォーマット  オブ  フォーマッティングディスク  コントロール  ブロック（ＦＤＣＢ）に記述されているドライブＩＤを更新し、
前記情報記録媒体がＣＤ−ＭＲＷ規格に準拠したフォーマットがなされたディスクであれば、該ディスクに記録されているラスト  ベリファイド  アドレス（ＬＶＡ）とレコーダＩＤコードを更新する手段を有することを特徴とする情報記録再生装置。
【発明の詳細な説明】
【０００１】
【発明の属する技術分野】
この発明は、光ディスクや光磁気ディスクなどの情報記録媒体の欠陥を検出してその欠陥を管理し、欠陥の交替を行う機能を備えた情報記録再生装置に関する。
【０００２】
【従来の技術】
大容量の情報を記録できる光ディスクや光磁気ディスクとして、記録型ＣＤ（Ｃｏｍｐａｃｔ  Ｄｉｓｋ）やＤＶＤ（Ｄｉｇｉｔａｌ  Ｖｅｒｓａｔｉｌｅ  Ｄｉｓｋ）などの情報記録媒体があり、ＣＤ−Ｒ（ＣＤ−Ｒｅｃｏｒｄａｂｌｅ）、ＣＤ−ＲＷ（ＣＤ−Ｒｅｗｒｉｔａｂｌｅ）、ＤＶＤ＋ＲＷ（ＤＶＤ＋Ｒｅｗｒｉｔａｂｌｅ）、ＤＶＤ＋Ｒ（ＤＶＤ＋Ｒｅｃｏｒｄａｂｌｅ）といった各種の規格がある。
【０００３】
これら情報記録媒体は、製造時やその後の使用により記録領域に欠陥が生じることは現状では不可避であるため、全ての記録領域を情報の記録再生に使用することはできない。
そこで、従来から情報記録媒体上の記録領域を適当な長さの領域（セクタ）に区切り、そのセクタ単位で情報の記録再生（ベリファイ）を行い、欠陥が検出された領域は使用せず、代りに他の欠陥のない領域を交替領域として使用して、情報を記録再生する処理、いわゆる交替処理が行われている。
【０００４】
そのための欠陥管理機能を付加した規格が、マウントレニア（Ｍｔ．Ｒａｉｎｉｅｒ）規格である。マウントレニア規格は、再記録可能なＣＤ−ＲＷ、ＤＶＤ＋ＲＷに適応され、それぞれＣＤ−ＭＲＷ、ＤＶＤ＋ＭＲＷという名称で呼ばれる。
マウントレニア規格の特徴は、欠陥領域及びその交替領域を含む欠陥情報を管理する欠陥管理機能である。これにより、マウントレニア規格に応じた光ディスクにデータを記録する際に、そのデータの記録領域に欠陥領域が含まれるときには、そのデータは自動的に対応する交替領域に記録されることになる。
【０００５】
また、このマウントレニア規格は、従来の記録フォーマットの規格であるＣＤ−ＲＷやＤＶＤ＋ＲＷとの互換性がある。これは、欠陥管理領域と交替領域をＣＤ−ＲＷやＤＶＤ＋ＲＷのフォーマットのユーザデータ領域に配置したことにより、従来のフォーマットしかサポートしていない情報記録再生装置（以下「ドライブ」ともいう）でもアクセスすることが可能になる。
【０００６】
ＣＤ−ＭＲＷおよびＤＶＤ＋ＭＲのフォーマットにおける欠陥管理領域は、従来のＣＤ−ＲＷやＤＶＤ＋ＲＷのフォーマットにおけるリードイン領域内の領域にメインテーブルエリア（Ｍａｉｎ  Ｔａｂｌｅ  Ａｒｅａ、以下「ＭＴＡ」と略称する）として配置される他に、ユーザデータ領域内にセカンダリテーブルエリア（Ｓｅｃｏｎｄａｒｙ  Ｔａｂｌｅ  Ａｒｅａ、以下「ＳＴＡ」と略称する）としても配置される。また、交替領域は、ユーザデータ領域内にスペアエリア（Ｓｐａｒｅ  Ａｒｅａ、以下「ＳＡ」と略称する）として配置される。
【０００７】
このように、欠陥管理領域と交替領域をユーザデータ領域内に配置することにより、マウントレニア規格のディスクがマウントレニア規格に未対応なドライブ（以下「未対応ドライブ」と略称する）に挿入された場合でも、従来のフォーマットと互換性があるため、その未対応ドライブは従来のフォーマットのディスクとして認識することができる。そして、欠陥管理領域と交替領域は、ユーザデータ領域に配置されているため、特定のデバイスドライバ（以下「ＭＲＷドライバ」と略称する）を用いることによって、未対応ドライブでもアクセスが可能になり、交替領域に存在する交替セクタにアクセスすることができる。
【０００８】
また、ＭＲＷドライバは、ディスクが挿入されると、ディスク上の特定の領域を読み出し、そのディスクがマウントレニア規格のディスク（ＭＲＷディスクという）かどうかを判定する。ＭＲＷディスクと判定した場合は、欠陥管理領域から管理情報を読み取り、その欠陥の交替されたセクタの情報を取得する。
これにより、未対応ドライブからその欠陥の交替されたセクタを含む領域に読み出し要求があった場合は、先程取得した管理情報から交替先領域を読み出すように処理することにより、未対応ドライブでも使用することが可能となる。勿論マウントレニア規格に対応したドライブは、このようなＭＲＷドライバがなくとも交替先領域を読み出すことが可能である。
【０００９】
次に、マウントレニア規格の特徴である欠陥管理機能について、ＤＶＤ＋ＭＲＷを例に説明する。まず、最初に行う欠陥検出は、全面フォーマット後にディスク全面に対して行うことが基本であるが、ＤＶＤ＋ＲＷではバックグランドフォーマットを採用しているため、イニシャライズ終了直後にディスク全面に対してのアクセスが可能になる。このため、フォーマット済みの未記録領域に対して記録要求が来た場合は、データの記録処理を行った後、その記録領域に対してベリファイを行うことによっても欠陥を検出することができる。
【００１０】
そして、欠陥が検出された場合は、図４に示すリードイン領域内のＭＴＡとリードアウト領域の手前の領域内のＳＴＡに欠陥管理情報を記録する。また、欠陥が存在している領域は、ユーザデータ領域の最内周のスペアエリア（ＳＡ１）と最外周のスペアエリア（ＳＡ２）に交替処理される。
なお、記録されたデータを消去する場合、アプリケーションはデータを消去するために必要な部分のみを一般的に上書きし、再利用する場合が多い。したがって、一度フォーマットされたディスクをもう一度フォーマットし直して、欠陥検出及び交替処理を新たに行うことはほとんどない。
【００１１】
ここで、ベリファイとは、ディスク上のユーザ領域に存在する欠陥セクタを検出することであり、その欠陥セクタを交替領域であるユーザデータ領域の最内周のＳＡ１又は最外周のＳＡ２に交替させ、その情報を欠陥管理領域であるＭＴＡ及びＳＴＡに記録するのが交替処理（交替手段）である。
なお、このベリファイには、フォーマット終了後にディスク全面に対して行う方法と、フォーマット済みの未記録領域に対して記録処理を行った後に行う方法とがあることは前述したとおりである。
このようにベリファイを行うことによって、予めディスク上に存在する欠陥セクタを検出し、その欠陥セクタの交替処理を確実に行うことにより、データ記録処理の信頼性を高めることができる（例えば、特許文献１参照）。
【００１２】
【特許文献１】
特開平７−１７６１４２号公報
【００１３】
【発明が解決しようとする課題】
しかしながら、従来の情報記録再生装置では、ディスク全面をＤＶＤ＋ＭＲＷフォーマット形式に一度フォーマット済みのディスクは、もう一度欠陥検出要求がこない限りベリファイは行わない。
そのため、このようなディスクが、それを使用するドライブ（情報記録再生装置）と同じ自社製のドライブ（自社機という）ではなく、他社製のドライブ（他社機という）でフォーマット及びベリファイがされていた場合には、自社機とは欠陥検出の判断基準やデータの読み出し性能が異なることがあるので、他社機で欠陥と判断されなくても、自社機ではデータの記録又は読み出し処理ができないことがあるという問題があった。
【００１４】
また、ベリファイの対象ディスクが、自社機でベリファイされたものであっても、ディスクのフォーマット及びベリファイがそのディスクを使用する当該ドライブ（自機という）で行われたか、他のドライブ（他機という）で行われたかを判断できない場合がある。しかし、自社機同士でも個々のドライブごとに記録および読み出し性能にばらつきが生じることもあり、自社機でベリファイを行ったものでもデータの記録及び読み出し処理ができないことがあるという問題もあった。
【００１５】
この問題をさらに詳しく説明すると、図９は従来のドライブで、自機以外でＭＲＷフォーマットされたディスクを使用する場合を示している。
従来、ＭＲＷフォーマットされたディスクで行うベリファイは、上述したようにディスク上の先天的な欠陥を検出することを目的としており、一度ベリファイを行った領域については、再度ベリファイを行わないことになっている。
【００１６】
しかし、図９に示すように、他機によってユーザデータ領域の半分以上の領域までベリファイを終えており、その中に他機では読み書きできるが、自機では読み書きできない欠陥領域（Ｄｅｆｅｃｔ  Ａｒｅａ、以下「ＤＡ」と略称する）が存在する場合がある。この状態で、ラスト  ベリファイド  アドレス（Ｌａｓｔ  Ｖｅｒｉｆｉｅｄ  Ａｄｄｒｅｓｓ、以下「ＬＶＡ」と略称する）より後ろに記録要求が来た場合は、その領域に記録してベリファイを行う（Ｗｒｉｔｅ＆Ｖｅｒｉｆｙ）が、すでにベリファイ済みの領域に記録要求が来てもベリファイは行わない。そのため、このディスクを使用する場合に、改めてベリファイを行わなければ欠陥を検出することができず、欠陥領域に対して読み書き要求が来た場合に、記録または読み取りを失敗してしまうという問題が生じていた。
【００１７】
ところで、従来のＤＶＤ＋ＭＲＷのドライブにおいて、全面フォーマットを行った後通常のベリファイを行うが、その処理の途中でディスクを取り出すような場合には、図９に示すＭＴＡにあるメイン  インフォメーション  パケット（Ｍａｉｎ  ｉｎｆｏｒｍａｔｉｏｎ  Ｐａｃｋｅｔ、以下「ＭＩＰ」と略称する）とセカンダリ  インフォメーション  パケット（Ｓｅｃｏｎｄａｒｙ  ｉｎｆｏｒｍａｔｉｏｎ  Ｐａｃｋｅｔ、以下「ＳＩＰ」と略称する）にディスクの状態やどこまで記録したか等の情報を記録する。
ディスク状態は、例えば図５のＭＩＰとＳＩＰのバイト２４にあるディスク状態のビット４にあるベリフィケーション  ステータスに記録され、どこまで欠陥検出および交替処理を行ったかどうかは、バイト２８〜３０にあるＬＶＡに記録され、ディスクを取り出す時にその情報は更新される。
【００１８】
しかし、再度ベリファイを行い、途中でディスクを取り出してしまうような場合には、どこまでベリファイを行っていたか不明となり、上述したこれらの情報は、一度ディスク全面をベリファイすると、新たにベリファイを行うまで変更されることはない。
また、欠陥検出の最中に取り出されたディスクにはＬＶＡ等の情報が記録されないことから、どこまでベリファイが行われたか不明になるので、そのディスクをもう一度情報記録再生装置に挿入しても、途中からベリファイを行わずに、再度新たにディスク全面に対してベリファイを行わなければならない。そして、この状態のままだと、ドライブＩＤ等の情報も更新されないことになる。
また、そのディスクが他社機でフォーマット及びベリファイされたものである場合には、自社機とは欠陥検出の判断基準やデータの読み出し性能が異なることがあるので、ドライブＩＤなどの情報も更新されず、毎回ベリファイが行われてしまうという問題があった。
【００１９】
この発明は、このような問題を解決するためになされたものであり、情報記録媒体であるディスクが他社機や自社機の他のドライブでフォーマットおよびベリファイされたものであっても、自機で必要な欠陥検出を行えるようにし、欠陥検出の途中でディスクを取り出して、そのディスクを再度挿入した場合でも、適切な欠陥検出を行えるようにすることを目的とする。
【００２０】
【課題を解決するための手段】
この発明による情報記録再生装置は、ユーザからのアクセスが可能なユーザデータ領域と、そのユーザデータ領域内の欠陥を交替するための交替領域とを有する情報記録媒体に記録を行う情報記録手段と、上記ユーザデータ領域内の欠陥検出の要否を判定する第１の判定手段と、その第１の判定手段で欠陥検出が必要と判定された場合に、上記ユーザデータ領域内の欠陥の検出を行う第１の欠陥検出手段とを有する。
さらに、上記の目的を達成するため、上記第１の判定手段で欠陥検出が不要と判定された上記ユーザデータ領域に対して再度欠陥検出の要否を判定する第２の判定手段と、その第２の判定手段で欠陥検出が必要と判定された場合に再度上記ユーザデータ領域内の欠陥の検出を行う第２の欠陥検出手段とを設けたものである。
【００２１】
その第１の判定手段は、上記ユーザデータ領域がベリファイ済みであるか否かの判定によって欠陥検出の要否を判定する手段であり、上記第１の欠陥検出手段と第２の欠陥検出手段は、いずれも上記ユーザデータ領域内をベリファイする手段であるとよい。
さらに、上記第１の判定手段は、マウントレニア規格に準拠したフォーマットがなされた情報記録媒体のメインテーブルエリア内にあるメインインフォメーションパケット（ＭＩＰ）と、セカンダリテーブルエリア内にあるセカンダリインフォメーションパケット（ＳＩＰ）の少なくとも一方に存在するラストベリファイドアドレス（ＬＶＡ）の値よってり、ベリファイ済みであるか否かを判定する手段であってもよい。
【００２２】
また、上記第２の判定手段は、挿入された情報記録媒体におけるユーザデータ領域内の欠陥の検出が自社製の情報記録再生装置である自社機で行われたか、他社製の情報記録再生装置である他社機で行われたかを判定する自他社機判定手段であるとよい。
その自他社機判定手段は、ＤＶＤ＋ＭＲＷ規格に準拠したフォーマットがなされた情報記録媒体のフォーマット  オブ  フォーマッティングディスク  コントロール  ブロック（ＦＤＣＢ）に記述されているドライブＩＤによって上記判定をする手段であるとよい。
あるいは上記自他社機判定手段は、ＣＤ−ＭＲＷ規格に準拠したフォーマットがなされた情報記録媒体に記録されているレコーダＩＤコードによって上記判定をする手段であってもよい。
【００２３】
また、上記第２の判定手段は、挿入された情報記録媒体におけるユーザデータ領域内の欠陥の検出が、当該情報記録再生装置である自機で行われたか、他の情報記録再生装置である他機で行われたかを判定する自他機判定手段であってもよい。
その自他機判定手段は、ＤＶＤ＋ＭＲＷ規格に準拠したフォーマットがなされた情報記録媒体のフォーマット  オブ  フォーマッティングディスク  コントロール  ブロック（ＦＤＣＢ）に記述されているドライブＩＤによって上記判定をする手段であることができる。
あるいは上記自他機判定手段は、ＣＤ−ＭＲＷ規格に準拠したフォーマットがなされた情報記録媒体に記録されているレコーダＩＤコードによって上記判定をする手段であってもよい。
【００２４】
これらの情報記録再生装置において、上記第２の欠陥検出手段は、ユーザデータ領域内の欠陥の検出をユーザから要求されたデータ記録後にその記録領域に対して行う手段であってもよい。
あるいは上記第２の欠陥検出手段は、ユーザデータ領域内の欠陥の検出を自動的に行う手段であるとよい。
さらにこの上記第２の欠陥検出手段は、情報記録媒体全面の欠陥の検出を行う手段であるとよい。
さらにまた上記第２の欠陥検出手段は、ユーザからのアクセスがない場合に情報記録媒体全面の欠陥の検出をバックグランドで行う手段であってもよい。
【００２５】
そして、これらの第２の欠陥検出手段が上記ユーザデータ領域の欠陥検出を行う際に、情報記録媒体がＤＶＤ＋ＭＲＷ規格に準拠したフォーマットがなされたディスクであれば、そのディスクに記録されているラスト  ベリファイド  アドレス（ＬＶＡ）とフォーマット  オブ  フォーマッティングディスク  コントロール  ブロック（ＦＤＣＢ）に記述されているドライブＩＤを更新し、情報記録媒体がＣＤ−ＭＲＷ規格に準拠したフォーマットがなされたディスクであれば、そのディスクに記録されているラスト  ベリファイド  アドレス（ＬＶＡ）とレコーダＩＤコードを更新する手段を有するのが好ましい。
【００２６】
【発明の実施の形態】
以下、この発明の実施の形態を図面に基づいて具体的に説明する。
図１は、この発明による情報記録再生装置の一実施形態である光ディスク記録再生装置の構成を示すブロック図である。
この光ディスク記録再生装置は、例えばＤＶＤ＋ＭＲＷ等の光ディスクに記録された情報（データ）を再生し、また光ディスクにデータを記録するＤＶＤ＋ＭＲＷドライブ装置であり、情報記録再生装置に相当する。
この光ディスク記録再生装置は、データ記録及び再生の命令を受けるホストコンピュータ９と接続しており、その命令に基づいて情報記録媒体であるＤＶＤ＋ＭＲＷ等の光ディスク１に対して情報（データ）の記録又は再生を行う。
スピンドルモータ２は、光ディスク１のマウント時及びデータの記録又は再生時に光ディスク１を回転させる。回転制御系部３はモータ２の回転制御を行う。
【００２７】
光ピックアップ４は、微小動作を行うことができ、光ディスク１にレーザ等の光源で発生させた光を照射して記録面上に記録されたデータの読み取りとデータの記録を行う。
光ピックアップ制御系部５は、光ピックアップ４の光発光等の制御を行う。
粗動モータ６は、光ピックアップ４を光ディスク１の半径方向に移動させるモータである。粗動モータ制御系部７は粗動モータ６の回転制御を行う。
信号処理系部８は、光ピックアップ４からの信号の処理や光ディスク１にデータ記録を行うためのデータ及び光ディスク１から再生したデータの送受信を行う。これらによって情報記録手段および情報再生手段を構成している。
【００２８】
ホストコンピュータ９は、光ディスク記録再生装置の外部インタフェース１０を介して通信するパーソナルコンピュータ等の装置である。
ＣＰＵコントローラ１１は、マイクロコンピュータによって実現され、この光ディスク記録再生装置の全体の制御を行うものであり、この発明に係る各種手段の機能も果たす。また、このＣＰＵコントローラ１１は、レジスタ等の少量のメモリを含み、不揮発性メモリ１２及びバッファメモリ１３のデータ入出力制御や各種の信号処理等も行う。
【００２９】
不揮発性メモリ１２は、電源が切られても各種の設定を保持するメモリであり、ＣＰＵコントローラ１１を動かすための制御プログラムや長期記憶するデータが予め記憶されており、この他にも、この発明に係る光ディスク１のディスクＩＤ（媒体識別情報に相当する）又はボリューム名に対応させて光ディスク１上の所定位置の先頭アドレスと最終アドレスや記録時のレーザパワーなどの情報を記憶するメモリである。
【００３０】
バッファメモリ１３は、光ディスク１から再生したデータ及び光ディスク１へ記録するデータを、ＣＰＵコントローラ１１が一時的に記憶して保存するメモリである。
この光ディスク記録再生装置は、光ディスク１から読み出したデータをバッファメモリ１３に蓄え、そのバッファメモリ１３のデータをＣＰＵコントローラ１１の制御によって外部インタフェース１０を介してホストコンピュータ９に転送する。
【００３１】
図４は、光ディスクのフォーマットの構成であり、同図（ａ）にＣＤ−ＭＲＷのフォーマットの構成を、同図（ｂ）にＤＶＤ＋ＭＲＷのフォーマットの構成をそれぞれ示している。
両者ともリードイン領域およびリードドアウト領域と呼ばれる領域を持ち、ユーザが記録可能な領域を、ＤＶＤ＋ＭＲＷではデータゾーン領域、ＣＤ−ＭＲＷではプログラム領域に有している。
また、リードイン領域にはＭＴＡと呼ばれる領域があり、ＤＶＤ＋ＭＲＷのデータゾーン領域（ＣＤ−ＭＲＷではプログラム領域）には、ＧＡＡ（Ｇｅｎｅｒａｌ  Ａｐｐｌｉｃａｔｉｏｎ  Ａｒｅａ）、ＳＡ｛Ｓｐａｒｅ  Ａｒｅａ｝、データ領域、ＤＡ（Ｄａｔａ  Ａｒｅａ）、ＳＴＡ（Ｓｐａｒｅ  Ｔａｂｌｅ  Ａｒｅａ）とそれぞれ呼ばれる領域がある。
【００３２】
ＭＴＡ、ＳＴＡは、欠陥管理情報やディスクの状態等の情報が記録されており、ＳＴＡの内容は、ＭＴＡの内容をコピーしたものであり、ＭＴＡと同じ内容である。ＧＡＡには、マウントレニア規格のディスクであるＭＲＷディスクに対応していないドライブが、ＭＲＷドライバを用いてＭＲＷディスクを使用可能にするための情報などが記録される。ＳＡは交替領域であり、ユーザのデータが記録されるＤＡ領域で欠陥が検出された場合、このＳＡにその欠陥領域が交替され、その情報はＭＴＡとＳＴＡに記録される。これが交替手段である。
なお、ＣＤ−ＭＲＷとＤＶＤ＋ＭＲＷの違いは、ＣＤ−ＭＲＷでは、図４（ａ）に示すようにＤＡとＳＡが交互にディスク全面に対して分散しているが、ＤＶＤ＋ＭＲＷでは、図４（ｂ）に示すようにＳＡ１はユーザデータ領域の最内周にあり、ＳＡ２は同じく最外周に存在する。
【００３３】
次に、図５にＤＶＤ＋ＭＲＷのＭＩＰ（メインインフォメーションパケット）／ＳＩＰ（セカンダリインフォメーションパケット）の構成を、図６にＣＤ−ＭＲＷのＭＩＰ（メインインフォメーションパケット）／ＳＩＰ（セカンダリインフォメーションパケット）の構成をそれぞれ示している。
両方のディスクとも、ブロック２８に最終ベリファイアドレスＬＶＡが存在しており、図１に示したＣＰＵコントローラ１１がこのＬＶＡの値からベリファイ済みであるかどうかの判断を行う。例えば、ＬＶＡの値が最後のユーザデータ領域まで達していない場合は、まだベリファイは終わっていないと判断し、ＬＶＡの値が最後のユーザデータ領域まで達していれば、ベリファイ済みであると判断することができる。これが第１の判定手段としての機能である。
【００３４】
次に、自社機ドライブと他社機ドライブ、あるいは自社機ドライブにおける自ドライブと他ドライブとをそれぞれ識別して判断する方法について図７と図８によって説明する。
まず、図７は、ＣＤ−ＭＲＷのレコーダＩＤコードの構成を示している図である。このレコーダＩＤコードの構成によれば、図７に示すユーザ・データ・バイト８から１０には、レコーダＩＤのマニュファクチャコードに、例えば“ＲＩＣ”などのメーカのコード名が記録される。
【００３５】
続いて、ユーザ・データ・バイトの１６から１９には、レコーダＩＤのレコーダ・タイプコードに例えば“ＭＨ０８”などの機種が記録され、ユーザ・データ・バイトの２４から２６には、レコーダＩＤのレコーダ・ユニークナンバに例えば“１２３“などの番号が記録される。そして、ユーザ・データ・バイトの３２から６３には、マニュファクチャネームとしてメーカ名などが記録される。
その結果、ＣＤ−ＭＲＷのレコーダＩＤコードによって、自社機と他社機、あるいは自社機ドライブにおける自ドライブと他ドライブとをそれぞれ識別して判断することができる。
【００３６】
次に、図８は、ＤＶＤ＋ＭＲＷのフォーマット  オブ  フォーマッティングディスク  コントロール  ブロック（ＦＤＣＢ）の構成を示している図である。このＦＤＣＢにはＣＤ−ＭＲＷのレコーダＩＤコードにあったマニュファクチャコードなどが存在しないが、このＦＤＣＢ内のドライブＩＤの中にＣＤ−ＭＲＷのレコーダＩＤコードと同様の内容が以下のように定義され、存在している。
【００３７】
すなわち、このドライブＩＤは、ＤＶＤ＋ＭＲＷのＦＤＣＢ内でメイン  データ  バイト位置のＤ８からＤ３９に定義され、この定義されたバイト位置のＤ８からＤ２３には、ドライブの製造会社が、例えば“ＡＢＣＫＫ”などと記録される。また、同バイト位置のＤ２４からＤ３５には、ドライブのモデルネームが、例えば“ＤＶＤ＋ＲＷ  ＭＰ５１２５”などと記録され、さらに、同バイト位置のＤ３６からＤ３９には、ドライブ固有のシリアルナンバが例えば“１２３４”などと記録される。
その結果、ＤＶＤ＋ＭＲＷのＦＤＣＢ内のドライブＩＤによって、自社機と他社機、あるいは自社機ドライブにおける自ドライブと他ドライブとをそれぞれ識別して判断することができる。
これらが、第１の判定手段で欠陥検出が不要とされた情報記録媒体のユーザデータ領域に対して、再度欠陥検出の要否を判定する第２の判定手段の機能に相当する。
【００３８】
次に、図１に示した光ディスク記録再生装置のＣＰＵコントローラ１１を中心とするこの発明に係る制御動作について説明する。
図２および図３はその動作例を示すフローチャートであり、各ステップを「Ｓ」と略記している。
【００３９】
〔第１の動作例：図２〕
まず、第１の動作例を図２のフローチャートによって説明する。
この光ディスク記録再生装置は、ステップ１でマウントレニア規格のディスクであるＭＲＷディスクの挿入を待ち、それが挿入されるとステップ２でドライブのマウント処理を開始する。マウント処理は、コンピュータのファイルシステムにアクセスできるように、どのようなディスクがこの光ディスク記録再生装置に挿入されたか、あるいはディスクがどのような状態にあるか等を確認して記憶すると共に、ユーザデータ領域の欠陥検出（ベリファイ）が必要な場合にはそれを含む以後の処理を行うものである。
【００４０】
続いてステップ３で、ベリファイ済み（ユーザデータ領域内の欠陥を検出済み）であるか否かの判定を行う。例えば、ＭＲＷディスクがＤＶＤ＋ＭＲＷのディスクの場合であれば、図４の（ｂ）に示したようにＭＴＡ内にあるＭＩＰの図５に示したブロック２８の最終ベリファイアドレスＬＶＡの値が最後のユーザデータ領域に達しているか否かにより、ベリファイ済みであるか否かの判定を行う。その結果、ベリファイ済みと判定すると欠陥検出（ベリファイ）が必要ではないのでステップ４へ進み、ベリファイ済みでないと判定すると欠陥検出（ベリファイ）が必要なのでステップ６へ進む。これが第１の判定手段としての機能である。
【００４１】
ステップ４では、このＭＲＷディスクのユーザデータ領域内のフォーマットおよびベリファイ（欠陥検出）が、自社機すなわち自社製の光ディスク記録再生装置によってなされたか否かを判定する。これが自他社機判定手段の機能に相当する。
そして、例えばＭＲＷディスクがＤＶＤ＋ＭＲＷのディスクであれば、図８に示したＦＤＣＢ内のドライブＩＤに記載されているドライブの製造会社名によって自社機ドライブか否かの判定を行なう。また、ＭＲＷディスクがＣＤ−ＭＲＷのディスクであれば、図７に示したレコーダＩＤ（ＲＩＤ）に記載されているマニファクチャ・コードによって自社機ドライブか否かの判定を行う。このステップ４の判定によって、このベリファイが自社機ドライブによって行われたものであると判定した場合には、一応再度欠陥検出を行う必要がないものとしてステップ５へ進み、そうでない場合は再度欠陥検出を行う必要があると判断してステップ８へに進む。
【００４２】
ステップ５では、このＭＲＷディスクのユーザデータ領域のベリファイ処理が自ドライブによって行われたものであるか否かを判定する。これが自他機判定手段の機能に相当する。
例えば、ＭＲＷディスクがＤＶＤ＋ＭＲＷのディスクであれば、図８に示したＦＤＣＢ内のドライブＩＤに記載されているドライブのモデルネームやドライブ固有のシリアルナンバによってこのベリファイ処理が自ドライブによって行われたものであるか否かを判定する。また、ＭＲＷディスクがＣＤ−ＭＲＷのディスクであれば、図７に示したレコーダＩＤに記載されているレコーダ・タイプ・コードやユニークナンバによってこのベリファイ処理が自ドライによって行ったものであるか否かを判定する。
【００４３】
その結果、このベリファイ処理が自ドライブによって行われたものと判定すると、再度欠陥検出を行う必要がないのでステップ６へ進み、このベリファイ処理が他ドライブによって行われたものと判定すると、再度欠陥検出を行う必要があるのでステップ８へ進む。
このステップ４とステップ５の判断が、第２の判定手段の機能に相当する。
【００４４】
ステップ３でべリファイ済みと判断してステップ６へ進むと、そのＭＲＷディスクの全面をフォーマットし、ステップ７でディスク面のユーザデータ領域の全面をベリファイ（欠陥検出）する。その後、ステップ１２へ進んでマウント終了をホストコンピュータ９に報告して、処理を終了する。このステップ６，７の処理が第１の欠陥検出手段の機能に相当する。
【００４５】
ステップ４又は５からステップ８へ進むと、ＭＲＷディスクの種類を確認し、ＭＲＷディスクがＤＶＤ＋ＭＲＷであればステップ９へ進んでＬＶＡとドライブＩＤを更新し、ＭＲＷディスクがＣＤ−ＭＲＷであればステップ１０へ進んでＬＶＡとレコーダＩＤを更新する。
その後、いずれもステップ１１へ進んでディスク全面を自動的にベリファイ（欠陥検出）する。そして、ステップ１２でホストコンピュータ９にマウント終了を報告して処理を終了する。このステップ１１の処理が第２の欠陥検出手段の機能に相当する。
【００４６】
〔第２の動作例：図３〕
次に、第２の動作例を図３のフローチャートによって説明する。
この第２の動作例においても、図１に示したＣＰＵコントローラ１１によって図２のステップ１〜７とステップ１２に相当する判断・処理を実行するのは第１の動作例と同じであ。しかし、図２に丸付きの符号ＡとＢで示す間のステップ８〜１１の判断・処理に代えて、図３に示すステップ２１〜２７の判断・処理を実行する。
【００４７】
図２のステップ４又は５でＮＯ、すなわち再度欠陥検出が必要と判断すると図３のステップ２１へ進む。そして、ホストコンピュータ９からの記録要求を受信するのを待ち、記録要求を受信するとステップ２２へ進む。
ステップ２２では図２におけるステップ８と同様に、ＭＲＷディスクの種類を確認し、ＭＲＷディスクがＤＶＤ＋ＭＲＷであればステップ２３へ進んでＬＶＡとドライブＩＤを更新し、ＭＲＷディスクがＣＤ−ＭＲＷであればステップ２４へ進んでＬＶＡとレコーダＩＤを更新する。
【００４８】
その後、いずれもステップ２５へ進んでホストコンピュータ９からユーザの記録要求があるのを待ち、記録要求があるとステップ２６でそのデータをユーザデータ記録領域に記録し、ステップ２７でその記録領域をベリファイ（欠陥検出）する。これが、この発明の請求項１０でいう第２の欠陥検出手段の機能に相当する。
その後、図２に示したステップ１２へ進んで、ホストコンピュータ９にマウント終了を報告してこの動作を終了する。
【００４９】
なお、この発明による第１、第２の判定手段および第１、第２の欠陥検出手段は、上述した実施形態で説明した例に限らず、この発明の目的を達成できるものであれば種々変更可能であることは勿論である。
【００５０】
【発明の効果】
以上説明してきたように、この発明によれば、マウントレニア規格に準拠したＤＶＤ＋ＭＲＷやＣＤ−ＭＲＷなどの情報記録媒体に対してデータの記録や再生を行う際に、使用する情報記録再生装置（ドライブ）に対して他社製のドライブ（他社機）や自社製のドライブ（自社機）であっても他のドライブで、その情報記録媒体のフォーマットおよび欠陥検出（ベリファイ）がなされていても、確実にデータの記録又は再生を行うことができる。
また、情報記録媒体の欠陥検出（ベリファイ）処理の途中でその情報記録媒体（ＤＶＤ＋ＭＲＷやＣＤ−ＭＲＷなどのディスク）を取り出して再度それをを挿入した場合でも、欠陥検出を適切に行うことができ、その後のデータの記録又再生の信頼性を高めることができる。
【図面の簡単な説明】
【図１】この発明による情報記録再生装置の一実施形態である光ディスク再生記録装置の構成を示すブロック図である。
【図２】図１に示した光ディスク再生記録装置のＣＰＵコントローラによる第１の動作例を示すフローチャートである。
【図３】同じく第２の動作例の図２におけるステップ８〜１１に代わる部分の判断・処理を示すフローチャートである。
【図４】マウントレニア規格における情報記録媒体（ディスク）の記録領域の構成の一例を示す図であり、（ａ）はＣＤ−ＭＲＷディスクの例、（ｂ）はＤＶＤ＋ＭＲＷディスクの例である。
【図５】ＤＶＤ＋ＭＲＷディスクにおけるＭＩＰ／ＳＩＰの構成の一例を示す図である。
【図６】ＣＤ−ＭＲＷディスクにおけるＭＩＰ／ＳＩＰの構成の一例を示す図である。
【図７】ＣＤ−ＭＲＷディスクにおけるレコーダＩＤコードの構成の一例を示す図である。
【図８】ＤＶＤ＋ＭＲＷディスクにおけるＦＤＣＢの構成の一例を示す図である。
【図９】従来の情報記録再生装置でＭＲＷフォーマットされたディスクの記録領域の構成の一例を示す図である。
【符号の説明】
１：光ディスク            ２：スピンドルモータ
３：回転制御系部          ４：光ピップアップ
５：光ピップアップ制御系部    ６：粗動モータ
７：粗動モータ制御系部        ８：信号処理系部
９：ホストコンピュータ      １０：外部インタフェース
１１：ＣＰＵコントローラ    １２：不揮発性メモリ
１３：バッファメモリ
【図１】
2004288331.tif 000003
【図２】
2004288331.tif 000004
【図３】
2004288331.tif 000005
【図４】
2004288331.tif 000006
【図５】
2004288331.tif 000007
【図６】
2004288331.tif 000008
【図７】
2004288331.tif 000009
【図８】
2004288331.tif 000010
【図９】
2004288331.tif 000011